【手続補正書】
【提出日】平成18年12月28日(2006.12.28)
【手続補正１】
【補正対象書類名】明細書
【補正対象項目名】特許請求の範囲
【補正方法】変更
【補正の内容】
【特許請求の範囲】
【請求項１】
電極対を有し、水に、当該電極対を通して直流電流を流すことで電解処理するための電解処理手段と、
電解処理手段に水を供給するための給水手段と、
電極対に直流電流を供給するための電源回路と、
上記各部の動作を制御するための制御手段と、
電極対を構成する電極の温度を測定して、測定温度が第１の所定値以上になったときに制御手段に信号を入力するための第１の温度センサと、
電極の温度を測定して、測定温度が第１の所定値より高い第２の所定値以上になったときに、少なくとも電極対への通電を遮断するための第２の温度センサと、
を有することを特徴とする水処理装置。
【請求項２】
制御手段は、第１の温度センサからの信号入力を受けた際に、電極を冷却する制御を開始する冷却制御部を含むことを特徴とする請求項１記載の水処理装置。
【請求項３】
電極対を有し、水に、当該電極対を通して直流電流を流すことで電解処理するための電解処理手段と、
電解処理手段に水を供給するための給水手段と、
電極対に直流電流を供給するための、過電流保護機能付きの電源回路と、
電源回路への入力電流値、および電源回路からの出力電流値のうちの少なくとも一方を測定するための電流センサと、
水に、塩素イオンを含む水を電解促進剤として供給するための促進剤供給手段と、
電流センサによって測定した、水の塩素イオン濃度を示す電流値が一定の範囲内となるように電源回路、給水手段、および促進剤供給手段のうちの少なくとも１つを制御するとともに、上記測定電流値が設定時間内に異常とみなすしきい値まで下降した際に、電源回路の過電流保護機能が動作したと判定する電流解析制御部を含む制御手段と、
を有することを特徴とする水処理装置。
【請求項４】
電流解析制御部は、電流センサによって測定した電流値が設定時間より長時間をかけて異常とみなすしきい値まで下降した際に、促進剤供給手段に異常が生じたと判定することを特徴とする請求項３記載の水処理装置。
【請求項５】
制御手段は、電流解析制御部において、電源回路の過電流保護機能が動作したと判定した際に、それを知らせる報知部を含むことを特徴とする請求項３記載の水処理装置。
【手続補正２】
【補正対象書類名】明細書
【補正対象項目名】００１７
【補正方法】変更
【補正の内容】
【００１７】
【課題を解決するための手段および発明の効果】
請求項１記載の発明は、電極対を有し、水に、当該電極対を通して直流電流を流すことで電解処理するための電解処理手段と、
電解処理手段に水を供給するための給水手段と、
電極対に直流電流を供給するための電源回路と、
上記各部の動作を制御するための制御手段と、
電極対を構成する電極の温度を測定して、測定温度が第１の所定値以上になったときに制御手段に信号を入力するための第１の温度センサと、
電極の温度を測定して、測定温度が第１の所定値より高い第２の所定値以上になったときに、少なくとも電極対への通電を遮断するための第２の温度センサと、
を有することを特徴とする水処理装置である。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
請求項１の構成では、前述したように水槽の水位が低下するなどして電極の温度が上昇して第１の所定値以上になったときに、第１の温度センサから、制御手段に信号が入力される。
よって制御手段は、電極の温度が上昇したことを検知して、それを装置のオペレータに報知したり、あるいは次に述べる請求項２記載の発明のように、電極を冷却する制御を自動的に開始したりできる。
【手続補正９】
【補正対象書類名】明細書
【補正対象項目名】００２４
【補正方法】変更
【補正の内容】
【００２４】
しかも、それでもなお温度上昇が停止せず、電極の温度が第１の所定値よりも高い第２の所定値以上になったときには第２の温度センサが機能して、少なくとも電極対への通電を遮断し、それによって電極の温度上昇を強制的に阻止できる。
したがって請求項１の構成によれば、電極の温度が異常に上昇する事態が生じた際の安全性を向上することができる。
【手続補正１０】
【補正対象書類名】明細書
【補正対象項目名】００２５
【補正方法】変更
【補正の内容】
【００２５】
特に、電極の温度が上昇して第１の温度センサから制御手段に信号が入力された際に、上記のように電極を冷却する制御を自動的に開始するようにした場合には、電極の温度上昇を抑えて安全性を維持しながら、水処理装置の運転をできる限り継続することができる。
したがって請求項２記載の発明は、制御手段は、第１の温度センサからの信号入力を受けた際に、電極を冷却する制御を開始する冷却制御部を含むことを特徴とする請求項１記載の水処理装置である。
【手続補正１１】
【補正対象書類名】明細書
【補正対象項目名】００２６
【補正方法】変更
【補正の内容】
【００２６】
請求項３記載の発明は、電極対を有し、水に、当該電極対を通して直流電流を流すことで電解処理するための電解処理手段と、
電解処理手段に水を供給するための給水手段と、
電極対に直流電流を供給するための、過電流保護機能付きの電源回路と、
電源回路への入力電流値、および電源回路からの出力電流値のうちの少なくとも一方を測定するための電流センサと、
水に、塩素イオンを含む水を電解促進剤として供給するための促進剤供給手段と、
電流センサによって測定した、水の塩素イオン濃度を示す電流値が一定の範囲内となるように電源回路、給水手段、および促進剤供給手段のうちの少なくとも１つを制御するとともに、上記測定電流値が設定時間内に異常とみなすしきい値まで下降した際に、電源回路の過電流保護機能が動作したと判定する電流解析制御部を含む制御手段と、
を有することを特徴とする水処理装置である。
【手続補正１２】
【補正対象書類名】明細書
【補正対象項目名】００２７
【補正方法】変更
【補正の内容】
【００２７】
請求項３の構成では、電源回路として過電流保護機能を有するものを用いることで、電極間に短絡などが発生した際の安全性を確保できる。
しかも過電流保護機能が動作したことを、通常は、水の塩素イオン濃度を安定させるために装置各部を制御する際に用いる、電流センサによって測定した電源回路の入力電流値および／または出力電流値の下降によって検知できる。
したがって請求項３の構成によれば、装置の構造を複雑化することなく、電極間に短絡などが発生した際の安全性を向上することができる。
【手続補正１３】
【補正対象書類名】明細書
【補正対象項目名】００２８
【補正方法】変更
【補正の内容】
【００２８】
請求項４記載の発明は、電流解析制御部は、電流センサによって測定した電流値が設定時間より長時間をかけて異常とみなすしきい値まで下降した際に、促進剤供給手段に異常が生じたと判定することを特徴とする請求項３記載の水処理装置である。
請求項４の構成では、電解促進剤が薄くなったことなどの、促進剤供給手段に生じた異常をも、上記電流センサによって検知することができる。
【手続補正１４】
【補正対象書類名】明細書
【補正対象項目名】００２９
【補正方法】変更
【補正の内容】
【００２９】
請求項５記載の発明は、制御手段は、電流解析制御部において、電源回路の過電流保護機能が動作したと判定した際に、それを知らせる報知部を含むことを特徴とする請求項３記載の水処理装置である。
請求項５の構成では、電源回路の過電流保護機能が動作したことを、報知部によって、装置のオペレータなどにいち早く知らせることができる。
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】